(57)【特許請求の範囲】
【請求項１】
基材上に紫外線硬化樹脂からなり、第１の領域及び第２の領域を含む樹脂層を形成し、
前記樹脂層の前記第１の領域に対して、凹凸パターン部を有するモールドを、前記凹凸パターン部が前記樹脂層の前記第１の領域に接触するように押し当て、
前記樹脂層の前記第２の領域を、紫外線硬化樹脂の硬化を阻害する気体に曝しながら、前記樹脂層の前記第１の領域に紫外線を照射して前記樹脂層の前記第１の領域を硬化させ、
次に前記樹脂層の前記第２の領域に対して、前記樹脂層の第１の領域を硬化させた際よりも濃度の低い前記紫外線硬化樹脂の硬化を阻害する気体に曝しながら、凹凸パターン部を有するモールドを、前記凹凸パターン部が前記樹脂層の前記第２の領域に接触するように押し当て、
前記樹脂層の前記第２の領域に紫外線を照射して前記樹脂層の前記第２の領域を硬化させることを特徴とするナノインプリント方法。
【請求項２】
前記樹脂層をスピンコート法により形成することを特徴とする請求項１記載のナノインプリント方法。
【請求項３】
前記樹脂層をインクジェット法により形成することを特徴とする請求項１記載のナノインプリント方法。
【請求項４】
前記樹脂層の前記第１の領域に紫外線照射を行う際、遮光構造により紫外線の斜入射成分を遮光することを特徴とする請求項１乃至３のいずれか１項記載のナノインプリント方法。
【請求項５】
インプリント処理を大気圧よりも高い状態にして行なうことを特徴とする請求項１乃至４のいずれか１記載のナノインプリント方法。
【請求項６】
紫外線硬化樹脂の硬化を阻害する前記気体を、前記樹脂層の前記第2の領域に供給することにより、前記樹脂層の前記第２の領域を前記気体に曝すことを特徴とする請求項１乃至５のいずれか１記載のナノインプリント方法。
【発明の詳細な説明】
【技術分野】
【０００１】
本発明は、ナノインプリントモールドを用いて被加工物を成形するナノインプリント方法およびその方法を用いて形成されたパターン形成体、並びにナノインプリント装置に関する。
【背景技術】
【０００２】
近年、ナノオーダーの微細加工技術としてナノインプリント技術に注目が集まっている。このナノインプリント技術は、基材に微細な凹凸構造を形成した型部材（以下、モールドと呼ぶ）を用い、凹凸構造を被加工物に押し当てた状態で被加工物を硬化させ、モールドと被加工物とを引き離し（以下、離型と呼ぶ）、微細構造を等倍転写するパターン形成技術である。
【０００３】
ナノインプリントによるパターン形成の一例をより詳細に述べる。転写基材上に液状のレジストを形成し、モールドの凹凸構造をこのレジスト（転写樹脂層）に押し当て、押圧した状態で熱あるいは紫外線を印加してレジストを硬化させて凹凸構造の反転パターン形状をレジストに転写する。その後、レジストをアッシングして残膜部分を除去し、転写基材が露出した領域に対してエッチングを施すことにより、転写基材に微細な凹凸構造を形成できる。
【０００４】
ナノインプリントによるパターン形成を高精度に行うためには、モールドと転写基材の平坦性を高めるとともに両者の平坦性を一致させたり、あるいはインプリント装置のプレス条件などを制御して凹凸構造の凹部に正確に樹脂が充填されるように設定する必要がある。
【０００５】
上記のようにモールドと転写基材との平坦性やインプリント条件等を改善することで、転写樹脂層の厚みや転写された形状を均一にすることができる。しかしながら、その一方でモールドと転写樹脂層との密着性が高まり、転写樹脂層を硬化させた後にモールドを転写樹脂層から離型するのが困難となる。モールドや転写基材はシリコン、石英ガラスなどの剛性が高く、モールドと転写樹脂層との間に隙間ができにくく、離型することが非常に困難となる。また、シリコン、石英ガラスなどはその脆弱性ゆえに、離型時にモールドなどが破損する問題があった。
【０００６】
そこで従来、モールドと転写樹脂層とをスムーズに離型する技術として、例えば特許文献１に記載された離型方法およびナノインプリント装置が提案されている。特許文献１では光インプリント用モールドにおいて、パターン領域と該パターン領域の外側に位置し、かつパターンの凹部よりも大きいサイズ（開口寸法および深さが大きい）を有する離型用の凹形状を有するモールド、及びこのモールドを用い、モールド内に形成された通孔を通じて離型用凹部に高圧ガスを供給するように構成した離型方法等が開示されている。
【先行技術文献】
【特許文献】
【０００７】
【特許文献１】特開２００６−２４５０７２号公報
【発明の概要】
【発明が解決しようとする課題】
【０００８】
しかしながら、特許文献１によれば離型形状の凹部を形成するための工程が更に必要となり、モールドの作製工程の増加につながる。また、パターンの凹部と離型形状の凹部とを同時に形成する場合には、離型用の凹部の存在によってパターン開口率およびパターン分布が変化するため、パターンの凹部を所望の寸法・形状に加工することが困難になる。また、離型用凹部にガスを供給する場合には、モールドに気体通孔を作製する工程が更に増加するとともに、ナノインプリント装置側に高圧ガス供給装置を設ける必要がある。
【０００９】
本発明は、上記の実情に鑑み、より簡便にモールドと転写樹脂層を離型できるナノインプリント方法およびナノインプリント装置を提供することを目的とする。また本発明は、モールドと転写樹脂層とをスムーズに離型を行い、パターン精度が良好なパターン形成体を提供することを目的とする。
【課題を解決するための手段】
【００１０】
本発明に係るナノインプリント方法は、基材上に紫外線硬化樹脂からなり、第１の領域及び第２の領域を含む樹脂層を形成し、  前記樹脂層の前記第１の領域に対して、凹凸パターン部を有するモールドを、前記凹凸パターン部が前記樹脂層の前記第１の領域に接触するように押し当て、  前記樹脂層の前記第２の領域を、紫外線硬化樹脂の硬化を阻害する気体に曝しながら、前記樹脂層の前記第１の領域に紫外線を照射して前記樹脂層の前記第１の領域を硬化させ、次に前記樹脂層の前記第２の領域に対して、前記樹脂層の第１の領域を硬化させた際よりも濃度の低い前記紫外線硬化樹脂の硬化を阻害する気体に曝しながら、凹凸パターン部を有するモールドを、前記凹凸パターン部が前記樹脂層の前記第２の領域に接触するように押し当て、前記樹脂層の前記第２の領域に紫外線を照射して前記樹脂層の前記第２の領域を硬化させることを特徴とする。
【００１１】
また本発明の別の態様として、前記樹脂層をスピンコート法により形成してもよい。
【００１２】
また本発明の別の態様として、前記樹脂層をインクジェット法により形成してもよい。
【００１３】
また本発明の別の態様として、前記樹脂層の前記第１の領域に紫外線照射を行う際、遮光構造により紫外線の斜入射成分を遮光してもよい。
【００１４】
また本発明の別の態様として、インプリント処理を大気圧よりも高い状態にして行なってもよい。
【００１５】
また本発明の別の態様として、紫外線硬化樹脂の硬化を阻害する前記気体を、前記樹脂層の前記第２の領域に供給することにより、前記樹脂層の前記第２の領域を前記気体に曝してもよい。
【発明の効果】
【００１６】
本発明によれば、凹凸パターン部の周囲を紫外線硬化樹脂の硬化を阻害する気体を含む雰囲気下に曝露した状態で、紫外線を照射して樹脂層を硬化させるので、硬化が阻害された部分の樹脂層を離型開始点として簡便にモールドと転写樹脂層を離型することができる。また本発明のナノインプリント方法を用いることにより、モールドと転写樹脂層とをスムーズに離型できるので、離型時におけるモールド及び転写樹脂層双方の凹凸構造の破損を抑え、パターン精度の良好なパターン形成体を得ることができる。
【図面の簡単な説明】
【００１７】
【図１】本発明に係るナノインプリント装置の構成を説明する概略図である。
【図２】本発明に係るナノインプリント装置の別の構成を説明する概略図である。
【図３】本発明に係るナノインプリント方法の一例を説明する工程断面図である。
【図４】本発明に係るナノインプリント工程中における酸素濃度の推移の一例を説明する概略図である。
【図５】本発明に係るナノインプリント方法の別の一例を説明する概略図である。
【図６】本発明に係るナノインプリント方法の変形例を説明する概略図である。
【図７】本発明に係るパターン形成体を説明する概略図である。
【発明を実施するための形態】
【００１８】
以下、本発明の実施形態について図面を参照しながら説明する。
（第１のナノインプリント装置）
図１を参照して、本発明に係るナノインプリント装置について説明する。図１は本発明に係るナノインプリント装置の構成を説明する概略図である。ナノインプリント装置１０は主要な構成として、ナノインプリントを実施する要素を内部に備えた転写部１１（本実施形態では「密閉チャンバー」として図示している）、転写部１１内を給排気する給排気装置１７、および樹脂の硬化を阻害する気体を供給する気体供給装置（酸素供給装置１８）を少なくとも具備している。
【００１９】
図１において、１は所期の凹凸パターン部２が形成されたモールドである。モールド１は、光インプリント用である場合には石英ガラス、珪酸系ガラス、フッ化カルシウム、青板ガラス、ソーダガラス、ＢＫ−７等の透明基材からなる。なお、上記材料だけでなく、透明樹脂フィルム、陽極酸化法により形成されたポーラスアルミナ等からなり、透光性を有するフレキシブル基材を用いることもできる。モールド１の厚み、大きさ、形状は用途に応じて適宜設定することができる。凹凸パターン部２は、例えばモールド１の基材にレジスト等をマスクとして形成しておき、そのマスクの露出部にエッチング等を施して形成されたマイクロ（μｍ）〜ナノ（ｎｍ）オーダーの凹凸構造である。
【００２０】
３は転写される側の基材（転写基材）であり、転写基材３上には樹脂層４が形成されている。転写基材３は、石英やソーダライムガラス、ホウ珪酸ガラス等のガラス、シリコンやガリウム砒素、窒化ガリウム等の半導体、ポリカーボネート、ポリプロピレン、ポリエチレン等の樹脂基材、あるいは、これらの材料の組み合わせからなる複合材料基材からなる。転写基材３の厚み、大きさ、形状は用途等に応じて適宜設定することができる。
【００２１】
樹脂層４は、光硬化性の樹脂あるいはレジスト等であり、重合性化合物を少なくとも１種含有する光ラジカル硬化性樹脂からなる。光ラジカル硬化性樹脂としては、例えば紫外線の照射で速やかにラジカル重合して硬化するアクリレート類、メタクリレート類、ビニルエステル類、ビニルアミド類等含む液状モノマーに光ラジカル開始剤を混合したものを用いることができる。また、必要に応じて芳香族カルボニル化合物、ケトン類やフォスフィンオキサイド類等の硬化剤を添加する。なお、上記は例示であり、これらの材料に限定されるものではない。樹脂層４は、スピンコート法等の塗布法により、形成することができる。また、ナノインプリント装置内にインクジェット式吐出部（図示せず）を備える場合には、インクジェット法により樹脂層４を形成することも可能である。
【００２２】
なお、モールドと転写基材とが同程度の大きさである場合には、凹凸パターン部を一括転写により樹脂層に転写できる。また、モールドが転写基材よりも小さい場合（例えば、所望の転写領域をＮ分割したうちの１区画程度）には、ステップアンドリピート方式によって凹凸パターン部を樹脂層の所望の領域に転写する。
【００２３】
モールド１はモールドチャック１２によって保持される。モールドチャック１２はモールド１の位置決めを行なうための可動式のモールドステージ１３に載置されている。モールドステージ１３は、例えばＸＹＺ軸方向の駆動と各軸まわりの回転（ωｘ，ωｙ，θ）が可能である。
【００２４】
転写基材３は基材チャック１４によって保持される。基材チャック１４は転写基材３の位置決めを行なうための可動式の基材ステージ１５に載置されている。基材ステージ１５は、例えばＸＹＺ軸方向の駆動と各軸まわりの回転（ωｘ，ωｙ，θ）が可能である。なお、モールドステージ１３と基材ステージ１５は、図示しないステージ駆動手段によって駆動させる。各ステージの双方あるいは一方にステージ間の距離を計測するための機構（図示せず）、加圧手段（図示せず）などを備えている。
【００２５】
モールド１の背面側には、樹脂層４を硬化させるための紫外線を照射する照明光学系１６が配置されている。照明光学系１６から照射される紫外線は、モールド１を透過して樹脂層４に照射される。
【００２６】
以上、転写部１１内におけるインプリントを実施するための要素について説明を行った。次に、給排気装置１７および気体供給装置（酸素供給装置１８）について説明する。
【００２７】
転写部１１には、転写部内を給排気するための給排気装置１７が接続されている。給排気装置１７によって、転写部１１内の圧力調整を行う。
【００２８】
また、転写部１１には、転写部内に樹脂層４の硬化を阻害する気体を供給するための酸素供給装置１８が接続されている。酸素供給装置１８にはバルブ（図示せず）が配置されており、バルブの開閉制御によって必要なタイミングで樹脂層４の硬化を阻害する気体を転写部１１に送り込むことができる。また、流量センサ（図示せず）が配置されており、気体の供給量を適宜制御することもできる。気体の供給は、転写部内全体に略均一な濃度となるように気体を導入してもよいし、樹脂層の硬化させたくない部分に対してノズル等（後述する）により局所的に気体を吹き付けるようにしてもよい。
【００２９】
供給する気体としては、紫外線照射した際、発生する樹脂層に発生したラジカルを失活させる能力（ラジカル失活能）を有する気体を用いることができ、例えば、酸素を挙げることができる。ここで、上記の気体によって紫外線硬化性樹脂の硬化が阻害され、離型をスムーズに行うことができるメカニズムについて説明する。
【００３０】
ラジカル重合性を有する液状モノマーに光ラジカル開始剤を混合して紫外線を照射すると、光ラジカル開始剤が紫外線を吸収し、光ラジカル開始剤が電子励起状態を形成し、重合開始反応が始まる。ラジカルは、紫外線硬化樹脂が置かれた雰囲気中の酸素と反応する。そのため、樹脂の硬化に必要なラジカルが酸素によって消費され、樹脂の硬化が十分に促進されずに硬化不足となる。この硬化不足となった樹脂層は、硬化した樹脂に比べてモールドとの密着性が低いため、パターン部分の樹脂が硬化した後においても硬化不足となった部分を起点としてモールドと転写基材とをスムーズに離型することができる。
（第２のナノインプリント装置）
図２を参照して、本発明に係るナノインプリント装置の別の例について説明する。なお、第１のナノインプリント装置と略同様の構成については、同一符号、同一名称を付し、その説明を省略する。
【００３１】
第２のナノインプリント装置が第１のナノインプリント装置と相違する部分は、主に以下の２点である。
（１）転写部１１が開放された空間である。
（２）酸素給装置１８が樹脂層の硬化させたくない部分に対して、局所的に酸素を供給することができる構成である。
【００３２】
転写部１１は、密閉チャンバーのような密閉された空間だけではなく、常温常圧下でナノインプリントを実施するための要素（モールド、転写基材等）を備えた空間であってもよい。
【００３３】
酸素供給装置１８は、樹脂層４の硬化させたくない部分に対して、その硬化を阻害する気体を局所的に供給する。そのような構成として例えば、噴射用のノズルを備えたものを挙げることができる。酸素供給装置１８は単数あるいは複数設けることができる。
【００３４】
このようなナノインプリント装置は、一括転写方式、ステップアンドリピート方式に適用できる。なお、モールドがフレキシブルかつロール状である場合には、前記モールドと前記樹脂層が接触する領域の外縁部に対して、ロールの回転方向から樹脂の硬化を阻害する気体を供給すれば、ロールトゥーロール方式のナノインプリントを行うことができる。
（第１のナノインプリント方法）
次に図面を参照して、本発明に係るナノインプリント方法の手順の一例を説明する。図３は本発明に係るナノインプリント方法を説明する工程断面図であり、モールドの凹凸パターン部を樹脂層に一括転写する形態を示す。図４は本発明に係るナノインプリント工程中における酸素濃度の推移の一例を説明する概略図である。
【００３５】
従来のナノインプリント方法では、モールドと転写基材（樹脂層を含む）を窒素で満たされた転写部内において、インプリント処理を行っていた。しかし、本発明に係るナノインプリント方法では、樹脂を硬化させる時に樹脂の硬化を阻害する気体を、意図的に転写部内に導入してインプリント処理を行うことを特徴とする。
（１）モールド及び転写基材の準備（図３（Ａ）参照）
転写基材３上にインプリント材料をスピンコート法により塗布し、樹脂層４を形成する。そして、樹脂層４が形成された転写基材３を基材チャック１４上に載置する。なお、樹脂層４をインクジェット方式で転写基材３に供給する場合には、転写基材３を基材チャック１４上に配置した後に、図示しない塗布ヘッドから樹脂を吐出して樹脂層４を形成する。そしてモールド１をモールドチャック１２上に載置する。
【００３６】
モールド１、転写基材３の配置順序はいずれが先あるいは後でも構わない。また、モールド１の凹凸パターン部２は予めシランカップリング剤などからなる離型剤によって修飾されていてもよい。
【００３７】
転写部１１内にモールド１、転写基材３を配置した後、転写部内の圧力を給排気装置１７によって調整する。転写部１１内を排気し、真空度の低い状態で、後述のようにモールド１と樹脂層４を接触させる。これにより、モールド１の表面を脱泡することができ、凹凸パターン部２中に気泡が残ることを防ぐことができる。転写部１１内は主に窒素で満たされており、酸素濃度は、図４に示すように非常に少ない状態（ＮA ）である。
【００３８】
なお、本実施形態では転写部内の圧力を大気圧よりも低い状態にしてナノインプリントを行う場合について説明するが、転写部内の圧力を大気圧よりも高い状態にして樹脂層４の溶剤が揮発するのを防止し、樹脂層４の膜厚変動を抑制するようなインプリント処理を行なってもよい。
（２）モールドと樹脂層の接触（図３（Ｂ）参照）
転写部１１内を真空引きし、モールド１および転写基材３をそれぞれに位置決めを行なった後、モールドステージ１３あるいは基材ステージ１５を移動させ、モールド１を樹脂層４に接触させる。モールドの押圧条件等を調整して、凹凸パターン部２内に漏れなくインプリント材料を充填する。モールド１と転写基材３の大きさが同程度である場合には、モールド１と転写基材３との間に存在する樹脂層４の側面が転写部１１内の雰囲気に曝されている。このとき、転写部１１内における酸素濃度（ＮB ）は、図４に示すように前工程（ＮA ）と略同様である。
（３）樹脂層の硬化および離型開始点の作成（図３（Ｃ）参照）
モールド１を樹脂層４に接触させた状態で照明光学系１６によって紫外線を照射して樹脂層４の硬化を行う。本発明に係るナノインプリント法では、少なくとも紫外線により樹脂層４を硬化させる時点において、転写部内に樹脂層４の紫外線による硬化を阻害する気体を供給し、モールド１の外縁部に位置する樹脂層に対して硬化が不十分な部分を作成することを特徴とする。転写部１１内における酸素濃度は、図４に示すように意図的にモールドと樹脂層の接触時よりも高い状態（ＮC ）が実現されている。効果的に樹脂の硬化を阻害するには、例えば５×１０4 ｐｐｍ以上程度含むことが好ましい。より好ましくは１×１０5 ｐｐｍ以上であり、さらに好ましくは２×１０5 ｐｐｍ程度の酸素を含むことが好ましい。紫外線硬化を阻害する気体（酸素）の量を多くすることで、離型をスムーズに行うことができる。
【００３９】
供給する気体としては、紫外線照射した際、樹脂層に発生したラジカルを失活させる能力（ラジカル失活能）を有する気体を用いることができ、例えば、酸素を挙げることができる。
【００４０】
樹脂層４の紫外線硬化を阻害する気体を含む雰囲気中で、モールド１を樹脂層４に接触させた状態で照明光学系１６によって紫外線を照射して樹脂層４の硬化を行う。このとき、モールド１と樹脂層４はほぼ間隙なく接触しているため、紫外線硬化を阻害する気体はモールド１の外縁部に位置する樹脂層にのみ作用する。凹凸パターン部２を含むモールドの内部と接触する樹脂層は硬化され（硬化部４ａ）、モールドの外周近傍と接触する樹脂層は硬化部４ａに比べて、硬化が不十分な部分（未硬化部４ｂ）となる。
【００４１】
なお、モールド１と転写基材３との間隔（樹脂層の残膜厚に相当）を調整することで、離型作業をさらに容易にすることができる。例えば、モールドと転写基材との間隔を大きくすれば、離型をよりスムーズに行うことができる。これは、紫外線硬化を阻害する気体に接する樹脂層の端面の面積を大きくできるからである。
（４）離型（図３（Ｄ）参照）
所定量の紫外線を照射した後、転写部１１内を圧力開放して大気圧にする。そしてモールド１を樹脂層４から離型し、転写基材３を転写部外へ取り出す。図４に示すように転写部１１の圧力開放に伴い、転写部１１内における酸素の占める体積濃度は低下する（ＮD）。
【００４２】
未硬化部４ａは、硬化部４ａに比べてモールド１との密着力が低いため、離型しやすくなる。さらに、モールド１と樹脂層４との離型はモールド外周近傍から開始するため、未硬化部４ｂが離型開始点となり、スムーズな離型作業を行うことが可能となる。モールド１と樹脂層４との離型がスムーズに行えることによって、離型時におけるモールドあるいは樹脂層の破損を防ぐことができ、歩留りを向上させることが可能となる。
（変形例）
本発明に係るナノインプリント方法の変形例について、図面を参照して説明する。上記のナノインプリント方法と略同様の構成については、同一符号、同一名称を付し、その説明、図示を省略する。図６は本発明に係るナノインプリント方法の変形例を説明する概略図である。樹脂層４に紫外線を照射して樹脂層の硬化および離型開始点の作成時（図３（Ｃ）に相当）に、モールド１の外縁部に接触する部分の樹脂層４に対して、酸素を供給している。このように、転写部１１内の酸素濃度を略均一にせず、樹脂層の硬化させたくない部分に対して、局所的に酸素を供給するようにしてもよい。
（第２のインプリント方法）
モールドの凹凸パターン部を樹脂層に一括転写する場合について説明したが、以下はステップアンドリピート方式で凹凸パターン部を樹脂層に転写する例について説明する。図５は本発明に係るナノインプリント方法の別の一例を説明する概略図であり、モールドの凹凸パターン部を樹脂層にステップアンドリピート方式で転写する形態を示す。図５では、ステップアンドリピート方式の隣接する第１の領域１０１、第２の領域１０２に対して凹凸パターン部を転写する場面を、説明のために取り挙げている。
【００４３】
図５（Ａ）に示すように、樹脂層４の第１の領域１０１に対してモールドを接触させた状態で、紫外線（照射光３００）を照射している。光学系から照射される照射光３００は平行成分だけでなく、斜入射成分を持った光を含んでいる。そのため、実際に照射光３００が１ステップで照射される領域は、第１の領域１０１よりも大きくなる。つまり、未露光部１００と第１の領域１０１との間に硬化させたくない領域２００が介在する。このように、第１の領域１０１を露光するステップでは、第１の領域１０１と硬化させたくない領域２００とを合わせた領域に照射光３００が照射されることになる。硬化させたくない領域２００への照射光は、モールドに遮光構造を持たせることで低減することはできるが、完全に防ぐことは難しい。
【００４４】
本発明では第１の領域１０１を露光するステップで、硬化させたくない領域２００に対応する部分の樹脂層の表面は露出し、紫外線が照射された時に樹脂の硬化を阻害する気体に曝露している。このようにモールドと樹脂層が接触する領域の外縁部が、樹脂の硬化を阻害する気体に曝されることにより、第１の領域を露光するステップにおける斜入射光による意図しない部分の樹脂の硬化を防ぐことが可能となる。したがって、第１の領域１０１と第２の領域１０２との間隔を狭めることでき、あるいは硬化させたくない領域２００が硬化することによって生じる異物などの欠陥を防止することができる。
【００４５】
本発明に係るナノインプリント方法に使用するインプリント材料としては、ラジカル硬化性樹脂を用いることが好ましい。光インプリント用のインプリント材料として、ラジカル硬化性樹脂とカチオン硬化樹脂が知られている。ラジカル硬化性樹脂は、カチオン硬化性樹脂に比べて、保存性（保存時の感度安定性）に優れ、使用できる材料が多く、様々な用途（リソグラフィ、光学素子、磁気記録媒体、バイオ製品など）のナノインプリントに広く適応可能である。また、ラジカル硬化性樹脂は、カチオン硬化性樹脂に比べて硬化速度が速い。ラジカル硬化性樹脂を樹脂層として用いた場合には、高スループットのナノインプリント処理を行うことができる。
【００４６】
ラジカル硬化性樹脂はカチオン硬化性に比べて収縮率が高いことが知られている。第１の領域１０１は、周囲に隣接する他の領域の影響を受けるが、第１の領域１０１の外縁部に未硬化部が存在することで、他の領域の樹脂層の収縮の影響を低減することができる。
（パターン形成体）
図面を参照して、本発明に係るパターン形成体について説明する。図７は本発明に係るパターン形成体を説明する概略図である。なお、上記の説明と略同様の構成については、同一符号、同一名称を付し、その説明を省略する。
【００４７】
パターン形成体５は、上記のナノインプリント方法を用いて得られた凹凸構造体である。パターン形成体５はモールドの凹凸パターン部の反転パターン形状を有する。パターン形成体５は、パターンが存在する領域に樹脂が硬化した硬化部４ａを含み、硬化部４ａの周囲に位置するパターンが存在しない領域（図では外縁部分）に未硬化部４ｂを含む。このようなパターン形成体５は、未硬化部４ｂが離型開始点として作用し、モールドと転写樹脂層をスムーズに離型作業を通して製造される。したがって、離型時におけるモールド及び樹脂層４双方の微細な凹凸構造の破損を抑えることができるため、精度の高いパターン形成体となる。パターン形成体５は、半導体製品、光学素子、磁気記録媒体、バイオ製品などのナノインプリント技術が適用される場面において、成形品あるいはリソグラフィ用マスクとして機能する。
【００４８】
以上説明した実施の形態は例示であり、本発明の技術的思想を逸脱しない範囲において、変更および拡張が可能であることは言うまでもない。
【産業上の利用可能性】
【００４９】
ナノインプリント技術を用いた微細加工に利用可能である。
【符号の説明】
【００５０】
１…モールド
２…凹凸パターン部
３…転写基材
４…樹脂層
４ａ…硬化部
４ｂ…未硬化部
５…パターン形成体
１０…ナノインプリント装置
１１…転写部
１２…モールドチャック
１３…モールドステージ
１４…基材チャック
１５…基材ステージ
１６…照明光学系
１７…給排気装置
１８…酸素供給装置
１００…未露光部
１０１…第１の領域
１０２…第２の領域
２００…硬化させたくない領域
３００…照射光
【図１】
0005644906.tif 000002
【図２】
0005644906.tif 000003
【図３】
0005644906.tif 000004
【図４】
0005644906.tif 000005
【図５】
0005644906.tif 000006
【図６】
0005644906.tif 000007
【図７】
0005644906.tif 000008